(57)【特許請求の範囲】
【請求項１】
情報記憶装置が収容されるケースと、
前記ケースが着脱自在に装着される固定台と、
を備え、
前記ケースは、
前記情報記憶装置が収納固定されるケース本体と、
第１の方向で前記ケース本体の一方端側に設けられた一対の回転支軸部と、
前記第１の方向で前記ケース本体の他方端側に設けられた一対の第１係合部及びラッチ部と、
を有し、
前記固定台は、
前記一対の回転支軸部が嵌め込まれる略Ｌ字形の溝部と、
前記一対の第１係合部が係合される一対の第２係合部と、
前記ラッチ部が嵌合されるラッチ嵌合部と、
を有し、
前記固定台に前記ケースを装着した状態において、前記第１の方向で前記第１係合部を前記第２係合部に片当てするとともに、前記第１の方向に交差する第２の方向で前記ケース本体を挟持し、且つ前記第１の方向及び前記第２の方向に交差する第３の方向で前記回転支軸部及び前記ラッチ部をそれぞれ前記溝部及び前記ラッチ受け部に片当てしてなる
ことを特徴とする情報記憶装置の取り付けユニット。
【請求項２】
請求項１記載の情報記憶装置の取り付けユニットにおいて、
前記ケースは樹脂からなる
ことを特徴とする情報記憶装置の取り付けユニット。
【請求項３】
請求項１記載の情報記憶装置の取り付けユニットにおいて、
前記ケースは、前記情報記憶装置から引き出されるケーブルを保持するケーブル保持部を有する
ことを特徴とする情報記憶装置の取り付けユニット。
【請求項４】
請求項１記載の情報記憶装置の取り付けユニットにおいて、
前記ケースは、前記第１の方向で前記固定台に対する前記ケースの取り付け方向を一方向に制限する誤装着阻止部を有する
ことを特徴とする情報記憶装置の取り付けユニット。
【請求項５】
情報記憶装置と、
前記情報記憶装置が収容されるケースと、
前記ケースが着脱自在に装着される固定台と、
前記ケース及び前記固定台を介して前記情報記憶装置が搭載される基板と、
を備え、
前記ケースは、
前記情報記憶装置が収納固定されるケース本体と、
第１の方向で前記ケース本体の一方端側に設けられた一対の回転支軸部と、
前記第１の方向で前記ケース本体の他方端側に設けられた一対の第１係合部及びラッチ部と、
を有し、
前記固定台は、
前記一対の回転支軸部が嵌め込まれる略Ｌ字形の溝部と、
前記一対の第１係合部が係合される一対の第２係合部と、
前記ラッチ部が嵌合されるラッチ嵌合部と、
を有し、
前記固定台に前記ケースを装着した状態において、前記第１の方向で前記第１係合部を前記第２係合部に片当てするとともに、前記第１の方向に交差する第２の方向で前記ケース本体を挟持し、且つ前記第１の方向及び前記第２の方向に交差する第３の方向で前記回転支軸部及び前記ラッチ部をそれぞれ前記溝部及び前記ラッチ受け部に片当てしてなる
ことを特徴とする電子機器。
【発明の詳細な説明】
【技術分野】
【０００１】
本発明は、情報記憶装置の取り付けユニット、及び電子機器に関する。
【背景技術】
【０００２】
情報記憶装置の一つとして、ハードディスク駆動装置(Hard Disk Drive)が広く知られている。ハードディスク駆動装置は、パーソナルコンピュータだけでなく、種々の電子機器に搭載されるようになっている。例えば、デジタル複写機やデジタル複合機などの画像形成装置では、装置の多機能化や高速化などの要求に応えるためにハードディスク駆動装置（以下、「ハードディスク」と略称）を搭載したものがある。
【０００３】
従来技術の一例として、引用文献１には、ハードディスクの取り外し作業を簡略化することができるハードディスク取り付け構造が記載され、引用文献２には、ハードディスク収納ケースの前面側からハードディスクを挿抜するハードディスク取り付け構造が記載され、引用文献３には、ハードディスクを保持する保持部材に加わる外部からの振動を減衰させることができるハードディスク取り付け構造が記載されている。
【０００４】
また、引用文献４には、ハードディスクが取り付けられる取り付け部材から不要な外力がかからないようにしたハードディスク取り付け構造が記載され、引用文献５には、給紙トレイの抜き差しによる衝撃に対してハードディスクの書き込みエラーや破損等を防ぐことができるハードディスク取り付け構造が記載されている。
【０００５】
【特許文献１】特開２００１−０９３２７１号公報
【特許文献２】特開平０６−３０９８５９号公報
【特許文献３】特開平１１−１６２１５６号公報
【特許文献４】特開平１１−２３２８５５号公報
【特許文献５】特開２００５−０８８５５４号公報
【発明の開示】
【発明が解決しようとする課題】
【０００６】
本発明の目的は、情報記憶装置の着脱を省スペースで容易に行なうことができる仕組みを提供することにある。
【課題を解決するための手段】
【０００７】
請求項１に記載の発明は、
情報記憶装置が収容されるケースと、
前記ケースが着脱自在に装着される固定台と、
を備え、
前記ケースは、
前記情報記憶装置が収納固定されるケース本体と、
第１の方向で前記ケース本体の一方端側に設けられた一対の回転支軸部と、
前記第１の方向で前記ケース本体の他方端側に設けられた一対の第１係合部及びラッチ部と、
を有し、
前記固定台は、
前記一対の回転支軸部が嵌め込まれる略Ｌ字形の溝部と、
前記一対の第１係合部が係合される一対の第２係合部と、
前記ラッチ部が嵌合されるラッチ嵌合部と、
を有し、
前記固定台に前記ケースを装着した状態において、前記第１の方向で前記第１係合部を前記第２係合部に片当てするとともに、前記第１の方向に交差する第２の方向で前記ケース本体を挟持し、且つ前記第１の方向及び前記第２の方向に交差する第３の方向で前記回転支軸部及び前記ラッチ部をそれぞれ前記溝部及び前記ラッチ受け部に片当てしてなる
ことを特徴とする情報記憶装置の取り付けユニットである。
【０００８】
請求項２に記載の発明は、
請求項１記載の情報記憶装置の取り付けユニットにおいて、
前記ケースは樹脂からなる
ことを特徴とする。
【０００９】
請求項３に記載の発明は、
請求項１記載の情報記憶装置の取り付けユニットにおいて、
前記ケースは、前記情報記憶装置から引き出されるケーブルを保持するケーブル保持部を有する
ことを特徴とする。
【００１０】
請求項４に記載の発明は、
請求項１記載の情報記憶装置の取り付けユニットにおいて、
前記ケースは、前記第１の方向で前記固定台に対する前記ケースの取り付け方向を一方向に制限する誤装着阻止部を有する
ことを特徴とする。
【００１１】
請求項５に記載の発明は、
情報記憶装置と、
前記情報記憶装置が収容されるケースと、
前記ケースが着脱自在に装着される固定台と、
前記ケース及び前記固定台を介して前記情報記憶装置が搭載される基板と、
を備え、
前記ケースは、
前記情報記憶装置が収納固定されるケース本体と、
第１の方向で前記ケース本体の一方端側に設けられた一対の回転支軸部と、
前記第１の方向で前記ケース本体の他方端側に設けられた一対の第１係合部及びラッチ部と、
を有し、
前記固定台は、
前記一対の回転支軸部が嵌め込まれる略Ｌ字形の溝部と、
前記一対の第１係合部が係合される一対の第２係合部と、
前記ラッチ部が嵌合されるラッチ嵌合部と、
を有し、
前記固定台に前記ケースを装着した状態において、前記第１の方向で前記第１係合部を前記第２係合部に片当てするとともに、前記第１の方向に交差する第２の方向で前記ケース本体を挟持し、且つ前記第１の方向及び前記第２の方向に交差する第３の方向で前記回転支軸部及び前記ラッチ部をそれぞれ前記溝部及び前記ラッチ受け部に片当てしてなる
ことを特徴とする電子機器である。
【発明の効果】
【００１２】
請求項１，５に記載の発明によれば、本構成を有しない場合に比して、情報記憶装置の着脱を省スペースで容易に行なうことができる。また、情報記憶装置を収容するケースを固定台に装着した場合に、第１の方向、第２の方向及び第３の方向で、固定台に対するケースの取り付け位置を同時に拘束することができる。
【００１３】
請求項２に記載の発明によれば、金属製のケースを用いる場合に比較して、衝撃吸収効果が得られるとともに、取り付けユニットのコストダウンやコンパクト化を実現することができる。
【００１４】
請求項３に記載の発明によれば、情報記憶装置から引き出されるケーブルの配線（引き回し）処理を容易に行なうことができる。
【００１５】
請求項４に記載の発明によれば、固定台に対してケースが誤った向きに装着されることを確実に防止することができる。
【発明を実施するための最良の形態】
【００１６】
以下、本発明の具体的な実施の形態について図面を参照しつつ詳細に説明する。なお、本発明の技術的範囲は以下に記述する実施の形態に限定されるものではなく、発明の構成要件やその組み合わせによって得られる特定の効果を導き出せる範囲において、種々の変更や改良を加えた形態も含む。
【００１７】
図１は本発明の実施形態に係る情報記憶装置の取り付けユニットを用いて、電子機器に情報記憶装置を搭載した状態を示す斜視図である。
【００１８】
制御基板モジュール１は、例えばデジタル複写機やデジタル複合機などの画像形成装置の本体（装置筐体）の背面側に組み込まれる制御ボックス（不図示）に対して抜き差し可能に装着されるものである。
【００１９】
制御基板モジュール１は、パネル部２と基板取り付け部３を一体に有する基板支持部材４と、パネル部２の前面側に取り付けられたハンドル５と、基板取り付け部３に取り付けられた制御基板６と、一対の補強部材７とを備えた構成となっている。
【００２０】
本明細書においては、上記制御ボックスに対して制御基板モジュール１が抜き差しされる方向をＸ軸方向と定義する。また、制御基板６の基板面に平行で且つＸ軸方向に直交する方向をＹ軸方向と定義するとともに、制御基板６の基板面に垂直で且つＸ軸方向及びＹ軸方向に直交する方向をＺ軸方向と定義する。ここで定義したＸ軸方向、Ｙ軸方向及びＺ軸方向の直交３軸方向は、制御基板モジュール１全体にわたって各部の構造や位置関係を特定するために随時用いる。また、Ｘ軸方向は、その向きによってＸ方向と−Ｘ方向に区分する。同様に、Ｙ軸方向はＹ方向と−Ｙ方向に区分し、Ｚ軸方向はＺ方向と−Ｚ方向に区分する。
【００２１】
基板支持部材４は、Ｙ軸方向から見て略Ｌ字形をなす金属製の板状部材を用いて構成されている。基板支持部材４の基板取り付け部３には複数の螺子１１を用いて制御基板６が固定状態で取り付けられている。
【００２２】
制御基板６は、例えばガラスエポキシ基板などのリジッドな基板をベースに構成されたもので、Ｚ軸方向から見て矩形状に形成されている。制御基板６の外周部は、上記複数の螺子１１を用いて、基板支持部材４の基板取り付け部３に固定されている。制御基板６上には、メモリ基板１２や他の電子部品とともに、情報記憶装置としてのハードディスク（不図示）が搭載されている。
【００２３】
ハードディスクは、ケース２１と固定台２２とを備える取り付けユニットを用いて、制御基板６に搭載されている。
【００２４】
図２はケースの構成を示す斜視図である。ケース２１は、ハードディスクを収容するもので、樹脂の一体成型品で構成されている。ケース２１は、ハードディスクが収納固定されるケース本体２３を有している。ケース本体２３は、格子状のリブで補強された長方形の背板部２４と、この背板部２４の長辺側に設けられ且つＹ軸方向で対向する一対の側板部２５と、背板部２４の短辺側に設けられた端板部２６とによって箱形に形成されている。
【００２５】
ケース本体２３には、上記背板部２４、一対の側板部２５及び端板部２６により区画される収納凹部が形成され、この収納凹部内に、扁平の直方体をなすハードディスクが収納されるようになっている。収納凹部の深さ寸法は、ハードディスクの厚み寸法よりも大きく設定されている。また、図示はしないが、ケース２１の長手方向となるＸ軸方向において、端板部２６と対向する部分には凹形状の切り欠き部が設けられ、この切り欠き部にハードディスクのソケットが配置されるようになっている。
【００２６】
ケース本体２３の背板部２４には、複数（図例では４つ）の取り付け用穴２７が設けられている。各々の取り付け用穴２７は、ケース本体２３にハードディスクを取り付けるために用いられるものである。このため、各々の取り付け用穴２７の位置関係は、ハードディスクの一面に設けられた複数の螺子穴の位置関係に合わせて設定されている。
【００２７】
ケース本体２３の両側の側板部２５には、回転支軸部２８、誤装着阻止部２９及び突起部３０がそれぞれ設けられている。回転支軸部２８及び誤装着阻止部２９は、Ｘ軸方向の一方側（Ｘ方向側）に設けられ、突起部３０は、後述する第２係合部に係合される第１係合部として、Ｘ軸方向の他方側（−Ｘ方向側）に設けられている。回転支軸部２８、誤装着阻止部２９及び突起部３０はそれぞれ、Ｙ軸方向でケース本体２３の両側から外向きに突出する状態に設けられている。また、回転支軸部２８、誤装着阻止部２９及び突起部３０はそれぞれ、断面円形のピン形状（丸ピン形状）に形成されるとともに、Ｙ軸と平行な同一軸上に対をなして配置されている。
【００２８】
誤装着阻止部２９は、回転支軸部２８の近傍に設けられるとともに、回転支軸部２８よりも小径のピン形状に形成されている。また、突起部３０は、Ｘ軸方向で回転支軸部２８から所定の距離を隔てた位置に設けられるとともに、回転支軸部２８と同じ径のピン形状に形成されている。Ｙ軸方向から見て回転支軸部２８と突起部３０のピン中心を通る仮想線（図中、二点鎖線）はＸ軸と平行な直線となり、その仮想線からＺ方向にずれた位置に誤装着阻止部２９が配置されている。
【００２９】
Ｘ軸方向において、ケース本体２３の他方端にはラッチ部３１が設けられている。ラッチ部３１は、ケース本体２３の端板部２６から、当該端板部２６の外面に沿って略Ｓ字形に起き上がるように形成されている。ラッチ部３１は、一端部を基端部、他端部を自由端部として、Ｘ軸方向に弾性変形可能に設けられている。ラッチ部３１の基端部は端板部２６に固定状態で支持され、その基端部を支点にラッチ部３１がケース材料自体の撓み性（バネ性）によりＸ軸方向に弾性変形する構成となっている。
【００３０】
ラッチ部３１は、Ｙ軸方向で端板部２６の中間部に配置されている。ラッチ部３１にはＹ軸方向から見て略直角三角形をなす引っ掛け部３２が一体に形成されている。引っ掛け部３２は、ラッチ部３１の外側の面に、Ｘ軸方向で外向き（−Ｘ方向）に突出する状態で形成されている。引っ掛け部３２は、Ｚ軸と垂直をなす端面部３２ａを有し、この端面部３２Ａを、固定台２２に対するＺ軸方向の引っ掛かり部分としている。
【００３１】
ケース本体２３の背板部２４には、２つのケーブル保持部３３，３４と操作用の把手部３５が設けられている。２つのケーブル保持部３３，３４は、Ｙ軸方向で互いに向かい合う状態に配置されている。各々のケーブル保持部３３，３４は、それぞれＸ軸方向に延びるリブ部分と一体構造をなしてＬ字形に形成されている。把手部３５は、Ｙ軸方向において、背板部２４の中間部で且つ２つのケーブル保持部３３，３４の間に配置されている。把手部３５には、固定台２２にケース２１を取り付ける際に目視参照されるマーク３５ａが、矢印形状の抜き穴で形成されている。マーク３５ａは、ケース２１の取り付け方向を矢印の向きで示している。
【００３２】
図３は固定台の構成を示す斜視図である。固定台２２は、ケース２１に収容したハードディスクを制御基板６に実装するための台座となる。固定台２２は、平板状のベース部４１と、４つの支持脚４２Ａ〜４２Ｄと、一対の翼部４３と、押さえ部４４と、ラッチ嵌合部４５とを一体に有するものである。押さえ部４４は、第１押圧部として固定台２２に設けられたものである。固定台２２は、例えば、鉄を主材料として、その表面にさび止め等を目的としたメッキ処理（例えば、酸化クロムメッキ）を施した金属材料を用いて構成されている。ただし、固定台２２は、金属製のものに限らず、例えば樹脂製のものであってもよい。
【００３３】
ベース部４１は、Ｚ軸方向から見て略矩形状に形成されている。ベース部４１には、固定台２２にケース２１を取り付ける際に目視参照されるマーク４１ａが、矢印形状の抜き穴で形成されている。このマーク４１ａが示す矢印の向きは、上記のケース２１に設けられたマーク３５ａが示す矢印の向きに対応している。つまり、固定台２２にケース２１を装着する場合は、双方に設けられたマーク（矢印）３５ａ，４１ａの向きを揃えることにより、ケース２１が正しい向きで取り付けられる構成になっている。
【００３４】
また、ベース部４１には、一対の押し上げ部４６が設けられている。一対の押し上げ部４６は、第３押圧部として固定台２２に設けられたものである。各々の押し上げ部４６は、Ｘ軸方向で固定台２２の略中間部に設けられている。また、各々の押し上げ部４６は、ベース部４１の一部を細い溝で略Ｕ字形に抜くことにより、Ｚ軸方向に弾性変形可能に設けられている。各々の押し上げ部４６の外端部４６ａは、ベース部４１の主面よりもＺ方向に突出するように段付き構造になっている。
【００３５】
４つの支持脚４２Ａ〜４２Ｄは、固定台２２のベース部４１を制御基板６から浮いた状態に固定支持するためのものである。各々の支持脚４２Ａ〜４２Ｄは、ベース部４１よりも−Ｚ方向に突出する状態で設けられている。また、各々の支持脚４２Ａ〜４２Ｄは、その端部が制御基板６の基板面と平行になるようにＬ字形に曲げられている。支持脚４２Ａ，４２Ｂは、Ｙ軸方向の一方側（Ｙ方向）でＸ軸方向の両端部に設けられている。支持脚４２Ｃ，４２Ｄは、Ｙ軸方向の他方側（−Ｙ方向）でＸ軸方向の両端部に設けられている。支持脚４２Ａの端部には円形の穴３９ａが設けられ、支持脚４２Ｂの端部にも円形の穴３９ｂが設けられている。また、支持脚４２Ｃの端部には図示しない円形の穴が設けられ、支持脚４２Ｄの端部にはＸ軸方向に長い長穴３９ｄが設けられている。
【００３６】
一対の翼部４３は、ベース部４１の相対応する２つの辺部（長辺部）からＺ方向に直角に折れ曲がった状態に形成されている。一対の翼部４３は、Ｙ軸方向で互いに対向する状態に配置されている。各々の翼部４３には、Ｙ軸方向から見て略Ｌ字形の溝部４７と、Ｙ軸方向から見て略Ｕ字形の溝部４８が形成されている。溝部４８は、上述したように第１係合部として設けられた突起部３０が係合される第２係合部として、固定台２２に設けられている。Ｘ軸方向において、溝部４７は翼部４３の一方端側（Ｘ方向）に配置され、溝部４８は翼部４３の他方端側（−Ｘ方向）に配置されている。
【００３７】
溝部４７は、Ｙ軸方向の一方と他方で対をなして配置され、溝部４８も、Ｙ軸方向の一方と他方で対をなして配置されている。溝部４７には回転支軸部２８が嵌合され、溝部４８には突起部３０が嵌合されるようになっている。溝部４７のＺ軸方向の溝幅は、回転支軸部２８の直径よりも僅かに（例えば、０．１〜０．２ｍｍ程度）大きく設定され、溝部４８のＸ軸方向の溝幅は、突起部３０の直径よりも僅かに（例えば、０．１〜０．２ｍｍ程度）大きく設定されている。溝部４７に対しては、回転支軸部２８がＺ軸方向から挿入されるとともに、Ｘ方向に片寄せした状態で嵌合される。このため、Ｘ軸方向において、溝部４７のＸ方向寄りの位置から溝部４８までの距離は、上述した回転支軸部２８と突起部３０の離間距離と同等に設定されている。
【００３８】
Ｘ軸方向において、溝部４７と溝部４８の間には２つの押さえ片４９が設けられている。２つの押さえ片４９は、Ｘ軸方向で所定の距離を隔てて配置されている。また、Ｙ軸方向においては、２つの押さえ片４９同士が、ケース２１の短手寸法に対応した距離を隔てて対向する状態に配置され、これによって固定台２２全体で合計４つの押さえ片４９が設けられている。各々の押さえ片４９は、第２押圧部として固定台２２に設けられたものである。
【００３９】
各々の押さえ片４９は、ベース部４１から翼部４３にかけてＬ字形に折れ曲がった状態で形成されている。各々の押さえ片４９には、半球状の突起４９ａが設けられている。突起４９ａは、ケース２１を固定台２２に装着した際に、ケース２１の側板部２５に接触するものである。突起４９ａは、Ｙ軸方向で相対向する各々の押さえ片４９の一端側に設けられている。突起４９ａが設けられた押さえ片４９の一端側は、固定台材料自体の撓み性（バネ性）によりＹ軸方向に弾性変形可能に設けられている。このようにＹ軸方向で対をなす各々の押さえ片４９は、固定台２２にケース２１を装着した場合に、それぞれケース本体２３の側板部２５に接触することにより、Ｙ軸方向でケース２１を挟持する。
【００４０】
押さえ部４４は、ベース部４１のＸ方向の端部から一体に延出した状態で形成されている。押さえ部４４はＹ軸方向でベース部４１のＹ方向端に配置されている。押さえ部４４はベース部４１よりもＺ方向に突出するように略Ｌ字形に曲げられている。押さえ部４４の端部は−Ｘ方向に凸となるように円弧状に曲げられている。また、押さえ部４４の端部は、固定台材料自体の撓み性（バネ性）によりＸ軸方向に弾性変形可能に設けられている。押さえ部４４は、固定台２２にケース２１を装着した場合に、端板部２６と反対側でケース本体２３に接触することにより、ケース２１を−Ｘ方向に押圧する。
【００４１】
ラッチ嵌合部４５は、ベース部４１の−Ｘ方向の端部から一体に延出した状態で形成されている。ラッチ嵌合部４５はＹ軸方向でベース部４１の中間部に配置されている。ラッチ嵌合部４５はベース部４１よりもＺ方向に突出するように略Ｌ字形に曲げられている。ラッチ嵌合部４５のＺ方向に突出した部分は、固定台材料自体の撓み性（バネ性）によりＸ軸方向に弾性変形可能に設けられている。ラッチ嵌合部４５のＺ軸方向に突出した部分には、Ｘ軸方向から見て四角形の穴４５ａが設けられている。固定台２２にケース２１を装着した場合は、上記のケース２１に設けられたラッチ部３１の引っ掛け部３２が、ラッチ嵌合部４５の穴４５ａに嵌合する。
【００４２】
図４は情報記憶装置の取り付け状態を示す斜視図である。また、図５（Ａ）〜（Ｃ）は情報記憶装置の取り付け状態を３方向から見た図であり、図６は図５（Ｃ）におけるＥ−Ｅ矢視断面図である。
【００４３】
図示のように、情報記憶装置となるハードディスク５１の本体部分は、上述したように扁平の直方体に形成されている。ハードディスク５１は、ケース２１の収納凹部５２（図６参照）に収納されている。ハードディスク５１は収納凹部５２内に合計４つの螺子５３を用いて固定されている。各々の螺子５３は、ケース２１の取り付け用穴２７を通してハードディスク５１の螺子穴（雌螺子部分）に挿入されている。取り付け用穴２７にはゴム製の緩衝材５４が装着されている。螺子５３の雄螺子部分は、緩衝材５４に設けられた穴を貫通してハードディスク５１の螺子穴に挿入されている。
【００４４】
Ｘ軸方向において、ハードディスク５１の一端部にはソケット５５が設けられている。ソケット５５には２つのコネクタ５６ａ，５７ｂが差し込まれている。コネクタ５６ａはケーブル５８の一端部に設けられたものである。ケーブル５８は、把手部３５に沿ってＸ軸方向と略平行に配線され、その配線途中でケーブル保持部３３により保持されている。ケーブル保持部３３は、ケーブル５８が−Ｚ方向に浮き上がらないようにケーブル５８を押さえている。ケーブル５８の他端部にはコネクタ５６ｂが設けられている。
【００４５】
コネクタ５７ａはケーブル５９の一端部に設けられたものである。ケーブル５９は、把手部３５に沿ってＸ軸方向と略平行に配線され、その配線途中でケーブル保持部３４により保持されている。ケーブル保持部３４は、ケーブル５９が−Ｚ方向に浮き上がらないようにケーブル５９を押さえているケーブル５９の他端部にはコネクタ５７ｂが設けられている。ケーブル５８のコネクタ５６ｂは制御基板６上に設けられたソケット６０ａ（図１参照）に差し込まれ、ケーブル５９のコネクタ５７ｂは制御基板６上にソケット６０ａと並んで設けられたソケット６０ｂに差し込まれるようになっている。
【００４６】
図７は固定台の取り付け状態を示す斜視図である。図示のように、固定台２２は、合計４つの螺子６１を用いて、制御基板６とともに基板取り付け部３に取り付け固定されている。各々の螺子６１は、固定台２２の各支持脚４２に設けられた穴３９と、制御基板６に設けられた穴（不図示）を通して、基板取り付け部３の螺子穴（雌螺子部分）に差し込まれている。
【００４７】
上記構成からなる取り付けユニットを用いて、制御基板モジュール１にハードディスク５１を実装する場合は、上述のように制御基板６上に固定された固定台２２に対して、予めハードディスク５１が取り付けられたケース２１を以下のような手順で装着する。
【００４８】
まず、固定台２２のベース部４１に設けられたマーク４１ａの方向と、ケース２１の把手部３５に設けられたマーク３５ａの方向を揃えて、固定台２２の溝部４７にケース２１の回転支軸部２８を嵌合させる。その際、図８に示すように、回転支軸部２８が低位側、突起部３０が高位側となるように、ケース２１全体を斜めに傾けて、固定台２２の溝部４７にＺ軸方向からケース２１の回転支軸部２８を嵌合させた後、ケース２１をＸ方向に押し込むことにより、溝部４７の奥側に回転支軸部２８を片寄せする。このとき、固定台２２に設けられた押さえ部４４の円弧部分は、押さえ部４４自身の撓み性をもってＸ軸方向でケース２１に所定の圧力で接触した状態となる。
【００４９】
次に、ケース２１の突起部３０が固定台２２の溝部４８に近づく方向で、一対の回転支軸部２８を中心（支点）としてケース２１を回転させる。そうすると、ケース２１を回転させていく途中で、突起部３０がＺ軸方向から溝部４８に嵌り込むとともに、ラッチ部３１の引っ掛け部３２が固定台２２のラッチ嵌合部４５に接触する。このとき、ラッチ部３１及びラッチ嵌合部４５の少なくとも一方は、両者の接触に伴う押圧力を受けてＸ軸方向に弾性変形する。そして、引っ掛け部３２全体が穴４５ａに完全に嵌り込むと、その瞬間に上記弾性変形が解除される。この状態では引っ掛け部３２の端面部３２Ａが穴４５ａの上縁部に引っ掛かることにより、穴４５ａからの引っ掛け部３２の抜けが阻止される。また、固定台２２に設けられた各々の押さえ片４９の突起４９ａは、押さえ片４９自身の撓み性をもってＹ軸方向でケース２１の側板部２５に所定の圧力で接触した状態となる。さらに、固定台２２に設けられた押し上げ部４６の端部４６ａは、押し上げ部４６自身の撓み性をもってＺ軸方向でケース２１の側板部２５の縁に所定の圧力で接触した状態となる。
【００５０】
このように固定台２２にケース２１を装着した後で、ケーブル５８，５９のコネクタ５６ｂ，５７ｂを、それぞれに対応する制御基板６のソケット６０ａ，６０ｂに挿し込むことにより、ケース２１に収容されたハードディスク５１と制御基板６を電気的に接続する。これにより、制御基板モジュール１にハードディスク５１が取り付けられた状態となる。
【００５１】
ちなみに、上記マーク３５ａ，４１ａの向きを逆向きにして固定台２２にケース２１を装着しようとした場合は、回転支軸部２８と誤って突起部３０を溝部４７に嵌合させてケース２１を回転させたときに、誤装着阻止部２９が固定台２２の翼部４３の縁に引っ掛かるため、ケース２１を装着不能な状態になる。つまり、誤装着阻止部２９は、Ｘ軸方向で固定台２２に対するケース２１の取り付け方向（取り付けの向き）を一方向に制限（規制）する部分となる。したがって、ケース２１の誤装着を確実に阻止することができる。
【００５２】
一方、こうして取り付けたケース２１を固定台２２から取り外す場合は、制御基板６のソケット６０ａ，６０ｂからケーブル５８，５９のコネクタ５６ｂ，５７ｂを引き抜いた後、ケース２１のラッチ部３１をＸ方向に押圧して弾性変形させることにより、固定台２２のラッチ嵌合部４５とケース２１のラッチ部３１との嵌合（引っ掛かり状態）を解除し、この状態で回転支軸部２８を中心（支点）としてケース２１の端部（ラッチ部３１側）を持ち上げるように回転させる。これにより、上記図８に示すように固定台２２の溝部４８からケース２１の突起部３０が離脱した状態となるため、この状態でケース２１を−Ｘ方向にずらして溝部４７から回転支軸部２８を離脱させる。これにより、制御基板モジュール１からハードディスク５１が完全に取り外された状態となる。
【００５３】
このように本発明の実施形態に係る取り付けユニットを用いたものでは、制御基板６上に固定した固定台２２に対して、ハードディスク５１を収容したケース２１が、ケース２１の押し込み操作やラッチの解除操作といった簡単な操作で着脱される。また、固定台２２の溝部４７にケース２１の回転支軸部２８を嵌合させて、回転支軸部２８を支点にケース２１を回転させることで、ケース２１の着脱が行なわれる。このため、ハードディスク５１の着脱を省スペースで容易に行なうことができる。
【００５４】
また、固定台２２にケース２１を装着した状態では、ハードディスク５１を収容するケース２１が押さえ部４４によって−Ｘ方向に押圧され、この押圧力を受けてケース２１の突起部３０が固定台２２の溝部４８に片当たりした状態となる。このため、ラッチ部３１とラッチ嵌合部４５の嵌合部分にはＸ軸方向で過負荷が発生しない。
【００５５】
また、ケース２１は、固定台２２に設けられた４つの押さえ片４９によってＹ軸方向に押圧され、この押圧力を受けてケース２１が４つの押さえ片４９によりＹ軸方向で挟持された状態となる。さらに、ケース２１は押し上げ部４６によってＺ方向に押圧され、この押圧力を受けて、回転支軸部２８が溝部４７に片当たりした状態となり、且つラッチ部３１の引っ掛け部３２がラッチ嵌合部４５の穴４５ａに片当たりした状態となる。
【００５６】
このため、ハードディスク５１を収容したケース２１は、Ｘ軸方向、Ｙ軸方向及びＺ軸方向の直交３軸方向で、固定台２２に対する取り付け位置が同時に拘束された状態となる。また、直交３軸方向におけるケース２１の取り付け位置は、それぞれに対応する押さえ部４４、押し上げ部４６、押さえ片４９の撓み性（バネ性）を利用して保持される。このため、外部からの衝撃を吸収する効果と取り付けのガタツキを防止する効果が得られる。
【００５７】
また、樹脂製のケース２１を用いることにより、金属製のケースを用いる場合に比較して、さらなる衝撃吸収効果が期待できるとともに、取り付けユニットのコストダウンやコンパクト化、外来振動の低減効果も期待できる。
【００５８】
なお、上記実施形態においては、情報記憶装置が搭載される電子機器の一例として画像形成装置を挙げたが、本発明はこれに限らず、例えば、パーソナルコンピュータや映像記録装置、カーナビゲーション装置などの電子機器にも同様に適用可能である。
【００５９】
また、情報記憶装置の一例としてハードディスクを挙げたが、これに限らず、例えば、光磁気ディスク(Magneto-Optical disk)装置や、ＳＳＤ（ソリッドステートドライブ）と呼ばれる不揮発性メモリを用いた記憶装置などを情報記憶装置として取り扱う場合にも同様に適用可能である。
【図面の簡単な説明】
【００６０】
【図１】本発明の実施形態に係る情報記憶装置の取り付けユニットを用いて、電子機器に情報記憶装置を搭載した状態を示す斜視図である。
【図２】ケースの構成を示す斜視図である。
【図３】固定台の構成を示す斜視図である。
【図４】情報記憶装置の取り付け状態を示す斜視図である。
【図５】情報記憶装置の取り付け状態を３方向から見た図である。
【図６】図５（Ｃ）におけるＥ−Ｅ矢視断面図である。
【図７】固定台の取り付け状態を示す斜視図である。
【図８】ケースの着脱途中の状態を示す斜視図である。
【符号の説明】
【００６１】
１…制御基板モジュール、６…制御基板、２１…ケース、２２…固定台、２８…回転支軸部、２９…誤装着阻止部、３０…突起部３０、３１…ラッチ部、３３，３４…ケーブル保持部、３５…把手部、４４…押さえ部、４５…ラッチ嵌合部、４６…押し上げ部、４７…溝部、４８…溝部、４９…押さえ片
【図１】
0004453744.tif 000002
【図２】
0004453744.tif 000003
【図３】
0004453744.tif 000004
【図４】
0004453744.tif 000005
【図５】
0004453744.tif 000006
【図６】
0004453744.tif 000007
【図７】
0004453744.tif 000008
【図８】
0004453744.tif 000009